(57)【特許請求の範囲】
【請求項１】
段部を有する首部を有する容器に装着される首掛けラベルであって、
装着時に前記容器の首部の正面及び背面に立ち上がる一対の表示片と、
前記首部の段部に係止される先端部を有する一対の係止片と、
前記一対の表示片を連結する一対の連結片と、
前記一対の表示片と前記一対の連結片によって囲われた範囲内に設けられた挿通孔部と、を有し、
第１係止片の基端部が接着層を介して前記第１表示片の裏面側に接着され、且つ、第１係止片の先端部が前記基端部に対して上向きに折り曲げられて自由端部とされ、
第２係止片の基端部が接着層を介して前記第２表示片の裏面側に接着され、且つ、第２係止片の先端部が前記基端部に対して上向きに折り曲げられて自由端部とされている、首掛けラベル。
【請求項２】
段部を有する首部を有する容器と、前記容器の首部に装着された首掛けラベルと、を有する首掛けラベル付き容器であって、
前記首掛けラベルが、前記容器の首部の正面及び背面に立ち上がった一対の表示片と、
前記首部の段部に係止された一対の係止片と、
前記一対の表示片を連結する一対の連結片と、
前記一対の表示片と前記一対の連結片によって囲われた範囲内に設けられ且つ前記容器の首部に挿通された挿通孔部と、を有し、
第１係止片の基端部が接着層を介して前記第１表示片の裏面側に接着され、且つ、第２係止片の基端部が接着層を介して前記第２表示片の裏面側に接着されており、
前記第１係止片が、第１表示片と容器の首部の間に介在され、且つ、前記第２係止片が、第２表示片と容器の首部の間に介在されており、
前記第１係止片の先端部及び第２係止片の先端部が、それぞれ前記基端部に対して上向きに折り曲げられ、前記第１係止片及び第２係止片の各先端部が、前記首部の段部に係止されている、首掛けラベル付き容器。
【発明の詳細な説明】
【技術分野】
【０００１】
本発明は、宣伝広告効果を高めるために、容器の首部に装着して使用される首掛けラベル及びそれが装着された首掛けラベル付き容器に関する。
【背景技術】
【０００２】
従来、宣伝広告効果を高める目的で、商品名、懸賞案内などの各種広告を表示した首掛けラベルを、容器に装着することが行われている。首掛けラベルは、ネックハンガーラベル又は掛止ラベルなどとも呼ばれる。
【０００３】
例えば、特許文献１には、ボトル容器の首部に取り付けて使用する板紙製の表示具であって、一枚のブランクを側面視でＨ型に折り曲げて接着加工しており、ボトル容器の首部が挿入可能な差込み孔が設けられた横方向の差込み部と、その差込み部の両側にそれぞれ設けられた縦方向の表示部と、を有し、前記差込み部の中央部から差込み孔側へ、半円弧状の一対の爪が差込み部と平行に延設されている表示具が開示されている。
かかる表示具は、その差込み孔をボトル容器のキャップに通し、差込み部を首部まで下げると、一対の爪がキャップの下縁部分に引っ掛かった状態になるので、簡単には取れなくなる。
【０００４】
しかしながら、前記表示具の爪は、差込み部と平行に延設されているので、表示具の差込み部を容器の首部へ挿入する際に、その爪がキャップに干渉する。このため、表示具を容器に装着し難いという問題点がある。
一方、爪の延設長さを短くすれば、表示具の差込み部を容器の首部に挿入し易くなるが、そうすると、表示具の装着後、爪がキャップの下縁部分から離れてしまい、表示具が容器から簡単に外れるという問題点を生じる。
また、前記爪は差込み孔側へ膨らむ半円弧状に形成されており、爪の先端における一点が容器と接触してキャップの下縁部分に係止される。しかしながら、このような爪による係止構造では、表示具の容器に対する装着安定性が悪いという問題点もある。
【先行技術文献】
【特許文献】
【０００５】
【特許文献１】特開２００２−５５６１１号公報
【発明の概要】
【発明が解決しようとする課題】
【０００６】
本発明の目的は、容器に装着し易く、容器に装着した後には外れ難く、装着安定性に優れた首掛けラベル及びその首掛けラベル付き容器を提供することである。
【課題を解決するための手段】
【０００７】
本発明の首掛けラベルは、段部を有する首部を有する容器に装着される首掛けラベルであって、装着時に前記容器の首部の正面及び背面に立ち上がる一対の表示片と、前記首部の段部に係止される先端部を有する一対の係止片と、前記一対の表示片を連結する一対の連結片と、前記一対の表示片と前記一対の連結片によって囲われた範囲内に設けられた挿通孔部と、を有し、第１係止片の基端部が接着層を介して前記第１表示片の裏面側に接着され、且つ、第１係止片の先端部が前記基端部に対して上向きに折り曲げられて自由端部とされ、第２係止片の基端部が接着層を介して前記第２表示片の裏面側に接着され、且つ、第２係止片の先端部が前記基端部に対して上向きに折り曲げられて自由端部とされている。
【０００８】
本発明の首掛けラベルは、一対の係止片（第１係止片及び第２係止片）が、その先端部を上向きにしてそれぞれ折り曲げられているので、首掛けラベルを容器に装着すべく、これを容器の上方から押し下げたときに、第１係止片及び第２係止片が回動し、容器の首部に簡単に首掛けラベルを挿入できる。
首掛けラベルを容器に挿入した後、上向きに折り曲げられている一対の係止片の先端部が容器側に当たって首部の段部に係止されるので、装着後の首掛けラベルが容器から外れ難くなる。
また、折り曲げられた一対の係止片の先端部が容器側に向かって常時付勢するので、装着された首掛けラベルが容器に対して安定する。
【０００９】
本発明の首掛けラベル付き容器は、段部を有する首部を有する容器と、前記容器の首部に装着された首掛けラベルと、を有する首掛けラベル付き容器であって、前記首掛けラベルが、前記容器の首部の正面及び背面に立ち上がった一対の表示片と、前記首部の段部に係止された一対の係止片と、前記一対の表示片を連結する一対の連結片と、前記一対の表示片と前記一対の連結片によって囲われた範囲内に設けられ且つ前記容器の首部に挿通された挿通孔部と、を有し、第１係止片の基端部が接着層を介して前記第１表示片の裏面側に接着され、且つ、第２係止片の基端部が接着層を介して前記第２表示片の裏面側に接着されており、前記第１係止片が、第１表示片と容器の首部の間に介在され、且つ、前記第２係止片が、第２表示片と容器の首部の間に介在されており、前記第１係止片の先端部及び第２係止片の先端部が、それぞれ前記基端部に対して上向きに折り曲げられ、前記第１係止片及び第２係止片の各先端部が、前記首部の段部に係止されている。  
【発明の効果】
【００１０】
本発明の首掛けラベルは、容器に装着し易く、一方、容器に装着した後には外れ難い。また、本発明の首掛けラベルは、容器に対して安定的に装着できる。
本発明の首掛けラベル付き容器は、首掛けラベルが外れ難く、また、首掛けラベルが位置ずれし難い。かかる首掛けラベル付き容器は、首掛けラベルの装着時に位置合わせした一対の表示片の向きが不用意に変わり難く、その表示片に表された広告宣伝表示を効果的に消費者に見せることができる。
【図面の簡単な説明】
【００１１】
【図１】本発明の１つの実施形態に係る首掛けラベルの右側面図。
【図２】同平面図。
【図３】同首掛けラベルを扁平状にしたときの上面図。ただし、接着部が設けられた範囲を判りやすく図示するため、便宜上、接着部を薄墨塗りで示している。
【図４】同首掛けラベルが扁平状の状態のときの下面図。
【図５】同首掛けラベルが扁平状の状態のときの右側面図。
【図６】図３のＶＩ−ＶＩ線断面図。
【図７】同首掛けラベルを容器に装着する途中の状態を示す右側面図。
【図８】同首掛けラベルを容器に装着した首掛けラベル付き容器の右側面図。
【図９】同首掛けラベル付き容器の正面図。
【図１０】同首掛けラベル付き容器の上面図。
【図１１】本発明の他の実施形態に係る首掛けラベルの右側面図。
【図１２】更なる他の実施形態に係る首掛けラベルの下面図（扁平状の状態で表している）。
【図１３】図１２の首掛けラベルを容器に装着した首掛けラベル付き容器の正面図。
【図１４】更なる他の実施形態に係る首掛けラベルの上面図（扁平状の状態で表している）。
【発明を実施するための形態】
【００１２】
以下、本発明について適宜図面を参照しつつ説明する。
ただし、本明細書において、各部の用語の前に付した、第１及び第２は、各部を区別するために付加されたものであり、各部の優劣や順序などを意味しない。
また、「正面」は、自立させた容器の周方向の任意の一箇所から容器を見たときに見える面であり、「背面」は、前記正面から周方向に約１８０度ずれた箇所から容器を見たときに見える面である。さらに、方向性を示す用語として、「上、下、左、右、前、後」を使用するが、これらは、便宜上、自立させた容器を基準にした方向を指す。また、「ＰＰＰ〜ＱＱＱ」という記載は、「ＰＰＰ以上ＱＱＱ以下」を意味する。
【００１３】
図１及び図２に於いて、首掛けラベル１は、前後一対の表示片２１，２２と、前後一対の係止片３１，３２と、左右一対の連結片４１，４２と、前記一対の表示片２１，２２と一対の連結片４１，４２によって囲われた範囲内に設けられた挿通孔部５と、を有する。
【００１４】
首掛けラベル１は、適度な剛性と可撓性を有するシート材から形成されている。
シート材は、特に限定されず、紙、厚紙、合成紙、合成樹脂シート、合成樹脂発泡シート、これらの積層体、これらと他のシートの積層体などを用いることができる。通常、前記シート材は、合成紙、紙、合成樹脂シートが用いられる。紙を用いる場合には、その目付量が６０〜１５０ｇ／ｍ２程度のものが好ましい。合成紙または合成樹脂シートを用いる場合には、その厚みが３０μｍ〜１５０μｍ程度のものが好ましい。
首掛けラベル１は、所定形状に形成した１枚のシート材を適宜折り曲げ且つ接着することにより、形成されている。もっとも、所定形状に形成した２枚以上のシート材を適宜折り曲げ且つ接着することにより、首掛けラベル１が形成されていてもよい。
【００１５】
一対の表示片２１，２２は、首掛けラベル１を容器に装着した際に、容器の正面及び背面に立ち上がる。一対の表示片２１，２２は、主として広告宣伝のための表示媒体であり、その表面には、所望のデザインが表示されている。なお、本発明の首掛けラベル１は、表示片２１，２２の表面だけにデザインが表示されている場合に限られず、表示片２１，２２の裏面及び連結片４１，４２などのその他の部分にもデザインが表示されていてもよい。
【００１６】
一対の係止片３１，３２は、それぞれ前記表示片２１，２２の裏面側に設けられ、且つ、係止片３１，３２の先端部３１ａ，３２ａがそれぞれ自由端部とされている。一対の係止片３１，３２は、その先端部３１ａ，３２ａを上向きにしてそれぞれ折り曲げられており、首掛けラベル１を容器に装着した際に、その先端部３１ａ，３２ａにて容器の首部の段部に係止される。
以下、係止片３１，３２を、先端部３１ａ，３２ａ及び基端部３１ｂ，３２ｂという２つの領域に分けて説明する場合がある。
【００１７】
係止片３１，３２の先端部３１ａ，３２ａは、それぞれ、係止片３１，３２の折り曲げ部（本実施形態では、第２折り目６２，６２）を基準にして、表示片２１，２２から離れる領域を指し、係止片３１，３２の基端部３１ｂ，３２ｂは、それぞれ、前記係止片３１，３２の折り曲げ部を基準にして、先端部３１ａ，３２ａよりも表示片２１，２２に近い領域を指す。
【００１８】
一対の連結片４１，４２は、一対の表示片２１，２２を連結する部分であり、一対の表示片２１，２２の間隔を規制している。
挿通孔部５は、首掛けラベル１を容器の首部に挿入する部分である。
【００１９】
具体的には、第１表示片２１及び第２表示片２２（一対の表示片２１，２２の一方及び他方）は、比較的大きな面積の平板状であり、その外形は特に限定されず、適宜な形状に設定できる。図示例では、直線状の両側縁、上縁及び下縁を有し且つ曲線状の下側両隅縁を有する略矩形状に形成されている。
【００２０】
第１表示片２１の裏面側の左右端部には、左右の連結片４１，４２の一端部が連結されており、その左右の連結片４１，４２の他端部は、第２表示片２２の裏面側の左右端部に連結されている。
左右の連結片４１，４２は、上面視帯状に形成されている。帯状の連結片４１，４２の長さＬは、装着する容器のキャップ部の直径よりも大きいことが好ましく、例えば、容器のキャップ部の直径の１．１倍〜２倍である。なお、連結片４１，４２の長さＬは、連結片４１，４２に対して略直交状に立ち上がったときの第１表示片２１と第２表示片２２の間隔に等しい。
帯状の連結片４１，４２の長さＬを容器のキャップ部の直径よりも大きくすることにより、第１係止片３１及び第２係止片３２の付勢力を効果的に発揮させることができる。
【００２１】
左右の連結片４１，４２は、第１表示片２１及び第２表示片２２の上下方向中途部（好ましくは上下方向略中央部）にそれぞれ連結されている。また、左右の連結片４１，４２は、所定間隔を開けて配置されており、左右の連結片４１，４２の間に上面視略矩形状の挿通孔部５が形成されている。
前記左右の連結片４１，４２の間隔Ｗは、特に限定されず、装着する容器のキャップ部の直径よりも大きくてよいし、或いは、若干小さくてもよい。
【００２２】
前記左右の連結片４１，４２の間隔Ｗが、容器のキャップ部の直径よりも大きい場合には、容器のキャップ部に挿通孔部５の縁（連結片４１，４２の内縁４１ａ，４２ａ）が接触しないように、首掛けラベル１を容器に挿入できる。
他方、前記左右の連結片４１，４２の間隔Ｗが、容器のキャップ部の直径よりも若干小さい場合には、首掛けラベル１を容器に装着した際、左右の連結片４１，４２の内縁４１ａ，４２ａを段部の下方に位置させることができ、係止片３１，３２だけでなく、連結片４１，４２も段部に係止させることができる。特に、左右の連結片４１，４２の内縁４１ａ，４２ａが容器の首部の外面に当接することから、前記左右の連結片４１，４２の間隔は、図示のように、容器の首部の直径と略同じであることが好ましい。ただし、前記左右の連結片４１，４２の間隔Ｗは、連結片４１，４２の内縁４１ａ，４２ａ間の長さを意味する。
【００２３】
第１表示片２１と左右の連結片４１，４２の一端部との境界、及び、第２表示片２２と左右の連結片４１，４２の他端部との境界には、それぞれ第１折り目６１が形成されている。
第１表示片２１及び第２表示片２２は、それぞれ前記第１折り目６１において連結片４１，４２の上面に対して略直交に折り曲げられて立ち上がっている。また、第１表示片２１及び第２表示片２２は、前記第１折り目６１を回動軸として、連結片４１，４２の上面に対して鈍角又は鋭角となるように回動自在である。
なお、本明細書において、折り目は、それに沿って各片を折り易くするために形成された線である。折り目としては、例えば、シート材の厚み方向に略Ｖ字状に切り込んだ非貫通刻みであるハーフカット線、シート材の厚み方向に貫通する貫通孔が断続的に形成されたミシン目線などが挙げられる。
【００２４】
第１係止片３１及び第２係止片３２（一対の係止片３１，３２の一方及び他方）は、一対の連結片４１，４２の間に配置され、挿通孔部５へと臨み出ている。
第１係止片３１は、その基端部３１ｂの一縁が第３折り目６３を介して第１表示片２１に連結され、その第３折り目６３にて折り曲げることにより、第１表示片２１の裏面側に配置されている。第２係止片３２は、その基端部３２ｂの一縁が第３折り目６３を介して第２表示片２２に連結され、その第３折り目６３にて折り曲げることにより、第２表示片２２の裏面側に配置されている。
第１係止片３１の先端部３１ａと第２係止片３２の先端部３２ａは、向かい合っている。
【００２５】
図１に示すように、首掛けラベル１は、装着状態のときに、その第１係止片３１が折れ曲がり、その第１係止片３１の先端部３１ａが、第１表示片３１の裏面に対して鋭角を成して、挿通孔部へと突出している。同様に、第２係止片３２が折れ曲がり、その先端部３２ａが、第２表示片３２の裏面に対して鋭角を成して、挿通孔部へと突出している。
前記第１係止片３１の先端部３１ａと第１表示片３１とが成す角度α１は、例えば、３０度〜８０度であり、前記第２係止片３２の先端部３２ａと第２表示片３２との成す角度α２は、例えば、３０度〜８０度である。
【００２６】
第１係止片３１の基端部３１ｂの上方部と第１表示片２１の上方部（第１折り目６１よりも上方にある第１係止片３１の基端部３１ｂと第１表示片２１）は、第１接着層７１を介して接着されており、第２係止片３２の基端部３２ｂの上方部と第２表示片２２の上方部（第１折り目６１よりも上方にある第２係止片３２の基端部３２ｂと第２表示片２２）は、第２接着層７２を介して接着されている。
従って、第１係止片３１の基端部３１ｂは、第１表示片２１の裏面と略平行に延びており、第２係止片３２の基端部３２ｂも同様に、第２表示片２２の裏面と略平行に延びている。
【００２７】
さらに、第１係止片３１及び第２係止片３２の面内には、前記第１折り目６１と平行に、第２折り目６２，６２がそれぞれ形成されている。
前記第２折り目６２を基準にして、第１係止片３１の基端部３１ｂは、第１表示片２１の裏面側に沿って立ち上がっており、第１係止片３１の先端部３１ａは、その先端縁を上向きにしてそれぞれ折り曲げられている。この第１係止片３１の先端部３１ａは、自由端部であり、前記第２折り目６２を回動軸として、上下に回動自在である。
同様に、前記第２折り目６２を基準にして、第２係止片３２の基端部３２ｂは、第２表示片２２の裏面側に沿って立ち上がっており、第２係止片３２の先端部３２ａは、その先端縁を上向きにしてそれぞれ折り曲げられている。この第２係止片３２の先端部３２ａは、自由端部であり、前記第２折り目６２を回動軸として、上下に回動自在である。
【００２８】
本発明の首掛けラベル１は、容器に装着された際には、上述のように、一対の表示片２１，２２が立ち上がり、一対の係止片３１，３２が折れ曲がっていると共に、その一対の係止片３１，３２の先端部３１ａ，３２ａの間に挿通孔部５を有する形態を成している（図１及び図２）。
容器に装着していない時（首掛けラベル１そのものを保管又は運搬する時）の上記首掛けラベル１の形態は、図３乃至図６に示すように、扁平状とされている。
図３において、各折り目を一点鎖線で表している。
【００２９】
図３乃至図６に示す扁平状態の首掛けラベル１は、略長方形状の１枚のシート材の両側部を、第３折り目６３，６３において裏面側に１８０度折り返し、重なり部分のうち、第３折り目６３，６３の近傍領域を接着することにより、扁平状されている。
この折り返した両側部の一方が第１表示片２１であり、他方が第２表示片２２である。
【００３０】
具体的には、図３乃至図６に示すように、扁平状とされた首掛けラベル１は、矩形状の主片１０の両側部に、第３折り目６３，６３を介して、第１表示片２１及び第２表示片２２が連設されている。
第１表示片２１は、前記第３折り目６３にて折り曲げられ且つ主片１０の一方の裏面側に重ねられ、接着剤などからなる第１接着層７１によって接着されている。
第２表示片２２は、前記第３折り目６３にて折り曲げられ且つ主片１０の他方の裏面側に重ねられ、接着剤などからなる第２接着層７２によって接着されている。
【００３１】
主片１０の面内には、連結片４１，４２及び係止片３１，３２を区画するため、前記第３折り目６３，６３と平行な直線状の第１切込み線８１と、この第１切込み線８１の両端にそれぞれ連設され且つ第１切込み線８１と直交する方向に延びる一対の第２切込み線８２と、が形成されている。このような第１切込み線８１及び第２切込み線８２は、上面から見ると（上面視）、それらを併せて略Ｈ字状の切込み線を成している。なお、前記切込み線は、主片１０の厚み方向に貫通し且つ主片１０の面内を切断する線である。
【００３２】
また、主片１０の面内には、前記一対の第２切込み線８２の両端から主片１０の側縁へそれぞれ延びる、第１折り目６１，…がそれぞれ形成され、さらに、第１切込み線８１と第２切込み線８２で囲われた範囲内に、前記第１切込み線８１と平行に延びる第２折り目６２，６２がそれぞれ形成されている。
図３乃至図６に示す扁平状態の首掛けラベル１を、各第１折り目６１において第１表示片２１及び第２表示片２２を連結片４１，４２に対して立ち上げると共に、第１切込み線８１と第２切込み線８２で囲われた範囲に形成される第１係止片３１及び第２係止片３２を第２折り目６２，６２で折り曲げることにより、図１及び図２に示すような起立した首掛けラベル１が得られる。
なお、図１において、第２折り目６２，６２（第１係止片３１及び第２係止片３２の各折り曲げ部）は、連結片４１，４２よりも下方に位置している。
【００３３】
図１及び図２に示す首掛けラベル１を容器の首部に装着することにより、図８乃至図１０に示すような首掛けラベル付き容器Ａが得られる。
【００３４】
具体的には、本発明の首掛けラベル１を装着する容器９は、段部９５を有する首部９３を有していれば、特に限定されず、本発明の首掛けラベル１は様々な容器９に装着できる。
特に、本発明の首掛けラベル１は、いわゆるＰＥＴボトルなどのボトル型合成樹脂製容器、アルミニウムボトル缶などのボトル型金属製容器などに装着するのに好適である。
このような容器９は、図示のように、円筒状又は四角筒状の胴部９１と、胴部９１の上方に形成され且つ胴部９１よりも小径の首部９３と、首部９３の上方に着脱可能に取り付けられ且つ円筒状のキャップ部９４と、前記胴部９１の上端から首部９３の間に形成され、上方に向かうに従って次第に小径となる肩部９２と、を有する。
かかる肩部９２は、上向き傾斜状であり、首部９３は、上下方向において殆ど径差のない円筒直胴状である。
キャップ部９４は、首部９３よりも大径である。前記首部９３とキャップ部９４の径差により、キャップ部９４の下端と首部９３の間に、容器９の軸芯方向に窪んだ段差（段部９５）が周方向の全体に渡って存在する。
【００３５】
図１及び図２に示す、第１表示片２１、第２表示片２２、第１係止片３１及び第２係止片３２をそれぞれ上述のように折り曲げた首掛けラベル１を、その挿通孔部５を容器９のキャップ部９４に位置合わせして、容器９の首部９３の上方から下方に押し下げる（図７参照）。
【００３６】
第１係止片３１の先端部３１ａ及び第２係止片３２の先端部３２ａは、第２折り目６２，６２にて回動自在なので、首掛けラベル１を押し下げると、容器９のキャップ部９４の周縁に押し当たった第１係止片３１及び第２係止片３２の先端部３１ａ，３２ａが、それぞれ第１表示片２１及び第２表示片２２の裏面側に回動しながらキャップ部９４を越え、首部９３至る。さらに、首掛けラベル１を押し下げると、図７に示すように、第１係止片３１及び第２係止片３２の先端部３１ａ，３２ａが肩部９２に至ると共に、一対の連結片４１，４２がキャップ部９４を越え、連結片４１，４２の内縁４１ａ，４２ａが容器９の首部９３の外面に接する。
首掛けラベル１を押し下げたときに、キャップ部９４に当たった第１係止片３１及び第２係止片３２が回動するので、容器９の首部９３に挿通孔部５を通す際には障害がなく、簡単に首掛けラベル１を挿入できる。
【００３７】
第１係止片３１及び第２係止片３２の先端部３１ａ，３２ａは、鋭角に上向き傾斜で折り曲げられており、押し下げ途中でさらに小さい角度に曲がるので、それぞれ容器９側に向かって反発力を有する。このため、首掛けラベル１を押し下げ中において、第１係止片３１の先端部３１ａ及び第２係止片３２の先端部３２ａが容器９の外面（キャップ部９４、首部９３及び肩部９２の外面）に常時当たる。押し下げを止めると、首掛けラベル１が容器９に係止された首掛けラベル付き容器Ａが得られる。
【００３８】
具体的には、図７に示すように、首掛けラベル１の押し下げ途中において、第１係止片３１の先端部３１ａ及び第２係止片３２の先端部３２ａが、第１表示片２１及び第２表示片２２に対して、図１に示す初期の角度α１，α２よりも小さい角度β１，β２に折れ曲がる。かかる第１係止片３１の先端部３１ａ及び第２係止片３２の先端部３２ａは、その反発力により互いに容器９側に付勢し合う。
【００３９】
そして、首掛けラベル１の押し下げを止めると、第１係止片３１の先端部３１ａ及び第２係止片３２の先端部３２ａの反発力により、その先端部３１ａ，３２ａの各先端縁が肩部９２の傾斜に従い上方に擦り動き、首掛けラベル１が自然に上方に移動する。また、第１係止片３１の先端部３１ａ及び第２係止片３２の先端部３２ａの反発力は、容器９の径外方向に作用するので、図７に示すように、装着途中に傾いていた第１表示片２１及び第２表示片２２は、鉛直方向に立ち上がっていく。この際、連結片４１，４２の突っ張りも第１表示片２１及び第２表示片２２の鉛直方向への立ち上がりに寄与する。
先端部３１ａ，３２ａの各先端縁が段部９５に至ると、首掛けラベル１の移動が止まり、第１係止片３１の先端部３１ａ及び第２係止片３２の先端部３２ａが段部９５に係止された首掛けラベル付き容器Ａが得られる（図８乃至図１０参照）。
【００４０】
なお、上記では首掛けラベル１を容器９に装着する際、第１係止片３１及び第２係止片３２を図１に示すように鋭角状に折り曲げた状態で、首掛けラベル１を押し下げているが、このような装着方法に限られない。
例えば、図７の二点鎖線で示すように、第１係止片３１及び第２係止片３２の先端部３１ａ，３２ａが鉛直方向に向いて折れ曲がるように、その先端部３１ａ，３２ａを指などで摘んだ状態で、首掛けラベル１の挿通孔部を容器９の首部９３に挿入してもよい。この場合、指などを離すと、第１係止片３１の先端部３１ａ及び第２係止片３２の先端部３２ａが、その反発力により、容器９の首部９３に当たり、事後、上記と同様に、第１係止片３１の先端部３１ａ及び第２係止片３２の先端部３２ａが段部９５に係止された首掛けラベル付き容器Ａが得られる。
【００４１】
得られた首掛けラベル付き容器Ａは、第１係止片３１及び第２係止片３２が下方から段部９５に係止されるので、装着後の首掛けラベル１が容器９から不用意に外れるおそれがない。さらに、一対の連結片４１，４２の内縁４１ａ，４２ａが段部９５の下方に位置しているので、連結片４１，４２も段部９５に係止され、首掛けラベル１がより上方に抜けにくくなっている。
【００４２】
上記首掛けラベル１が容器９に装着された首掛けラベル付き容器Ａは、容器９の首部９３の正面及び背面に第１表示片２１及び第２表示片２２が立ち上がっており、上向きにして折り曲げられた第１係止片３１及び第２係止片３２の各先端部３１ａ，３２ａが首部９３の段部９５に係止され、一対の連結片４１，４２が第１表示片２１及び第２表示片２２を連結している。さらに、立ち上がった第１表示片２１及び第２表示片２２の下縁２１ａ，２２ａが容器９の肩部９２に接している。
【００４３】
前記第１係止片３１は、第１表示片２１と容器９の首部９３の間に介在され、且つ、第２係止片３２は、第２表示片２２と容器９の首部９３の間に介在されており、一対の係止片３１，３２が互いに向かい合って容器９の首部９３に当たり且つこれを付勢しているので、首掛けラベル１が容器９に安定的に装着される。
特に、一対の連結片４１，４２の内縁４１ａ，４２ａが容器９の首部９３の外面に接しているので、首掛けラベル１は、挿通孔部５の周方向均等四箇所で容器９の首部９３に当たり、より装着安定性に優れている。さらに、立ち上がった第１表示片２１及び第２表示片２２の下縁２１ａ，２２ａが容器９の肩部９２に接していることも、装着安定性に寄与している。
【００４４】
なお、首掛けラベル付き容器Ａにおいて、図８及び図９に示すように、立ち上がった第１表示片２１及び第２表示片２２の上縁２１ｂ，２２ｂが容器９のキャップ部９４の上面よりも下方に位置するように、第１表示片２１及び第２表示片２２の大きさが設定されている。前記第１表示片２１及び第２表示片２２は、その上端２１ｂ，２２ｂが容器９のキャップ部９４の上面から突出していないので、首掛けラベル付き容器Ａの複数を梱包箱に箱詰めした際に、装着された首掛けラベル１が梱包箱の蓋によって押し下げられることを防止できる。
【００４５】
もっとも、本発明の首掛けラベル付き容器Ａにおいては、第１係止片３１及び第２係止片３２が上向きにして折り曲げられ且つ容器９を付勢している。このため、図８乃至図１０に示す装着状態の首掛けラベル１の上方から荷重がかかり、首掛けラベル１が下方に押し下げられても、その荷重が無くなると、第１係止片３１及び第２係止片３２が肩部９２の傾斜に従い首掛けラベル１を上方へ押し戻し、元の装着位置に復帰させるという効果がある。この効果をもたらす構成及び作用は、上述した首掛けラベル１の装着時に首掛けラベル１の押し下げを止めたときと同様であるので、その説明は省略する。
【００４６】
次に、本発明の首掛けラベルの他の実施形態を示す。
ただし、他の実施形態の説明に於いて、主として上記実施形態と異なる構成及び効果について説明し、上記実施形態と同様の構成などについては、その説明を省略し、用語及び符号を援用することがある。
【００４７】
上記実施形態において、第１係止片３１及び第２係止片３２は、その面内に形成された第２折り目６２，６２において上向き鋭角状に折り曲げられているが、例えば、図１１に示すように、第１係止片３１及び第２係止片３２は、その先端部３１ａ，３２ａを上向きにして湾曲されていてもよい。この場合、第１係止片３１及び第２係止片３２の面内には折り目が形成されていない。このように湾曲された第１係止片３１及び第２係止片３２は、第１表示片２１及び第２表示片２２と容器９との間に介在して、容器９をより大きな力で付勢するので、かかる首掛けラベル１は、装着安定性により優れる。
【００４８】
さらに、上記実施形態において、第１表示片２１及び第２表示片２２の各下縁２１ａ，２２ａは、直線状に形成されているが、例えば、図１２に示すように、第１表示片２１及び第２表示片２２の各下縁２１ａ，２２ａの略中央部が、第１表示片２１及び第２表示片２２の面内方向に凹んだ半円弧状に形成されていてもよい。
【００４９】
かかる首掛けラベル１を容器９に装着した際には、図１３に示すように、立ち上がった第１表示片２１及び第２表示片２２の各下縁２１ａ，２２ａが、曲面である肩部９２の外形に沿って接するようになり、第１表示片２１及び第２表示片２２の下縁２１ａ，２２ａが、肩部９２に対して線接触し得る。このため、第１表示片２１及び第２表示片２２がより安定的に立ち上がるので好ましい。
なお、第１表示片２１及び第２表示片２２の各下縁２１ａ，２２ａが半円弧状に形成されている場合に限られず、第１表示片２１及び第２表示片２２のうち何れか一方の下縁２１ａ，２２ａが、半円弧状に形成されていてもよい。
【００５０】
また、上記実施形態において、第１係止片３１及び第２係止片３２の各先端縁（先端部３１ａ，３２ａの縁）は、直線状に形成されているが、例えば、図１４に示すように、第１係止片３１及び第２係止片３２の各先端縁３１ｂ，３２ｂが、第１係止片３１及び第２係止片３２の面内方向に凹んだ半円弧状に形成されていてもよい。
かかる首掛けラベル１を容器９に装着した際には、第１係止片３１及び第２係止片３２の各先端縁３１ｂ，３２ｂが、曲面である首部９３の外形に沿って接するようになり、第１係止片３１及び第２係止片３２の先端縁３１ｂ，３２ｂが、肩部９２に対して線接触し得る。このため、首掛けラベル１の装着安定性がより良好となる上、第１係止片３１及び第２係止片３２の段部９５に対する係止もより強くなるので好ましい。
【００５１】
なお、第１係止片３１及び第２係止片３２の各先端縁３１ｂ，３２ｂが半円弧状に形成されている場合に限られず、第１係止片３１及び第２係止片３２のうち何れか一方の先端縁が、半円弧状に形成されていてもよい。
【符号の説明】
【００５２】
１…首掛けラベル、２１，２２…表示片、３１，３２…係止片、３１ａ，３２ａ…係止片の先端部、４１，４２…連結片、５…挿通孔部、９…容器、９２…容器の肩部、９３…容器の首部、９４…容器のキャップ部、９５…容器の段部、Ａ…首掛けラベル付き容器
【図１】
0006031723.tif 000002
【図２】
0006031723.tif 000003
【図３】
0006031723.tif 000004
【図４】
0006031723.tif 000005
【図５】
0006031723.tif 000006
【図６】
0006031723.tif 000007
【図７】
0006031723.tif 000008
【図８】
0006031723.tif 000009
【図９】
0006031723.tif 000010
【図１０】
0006031723.tif 000011
【図１１】
0006031723.tif 000012
【図１２】
0006031723.tif 000013
【図１３】
0006031723.tif 000014
【図１４】
0006031723.tif 000015